(57)【要約】【課題】レンズキャップとレンズケースとを別々に使用する煩わしさがなく、交換レンズを速やかに収納することができ、安価で製造できるレンズキャップを提供する。【解決手段】略有底円筒形状のフロントキャップ２０及びリアキャップ３０の開口側周縁部に、フロント側装着部２１ｂ及びリア側装着部３１ｂを設け、フロント側装着部２１ａにリア側装着部３１ａを装着可能とした。そして、交換レンズ１０にフロントキャップ２０とリアキャップ３０とを装着し、フロント側装着２１ｂにリア側装着部３１ｂを螺合させ、フロントキャップ２０にリアキャップ３０を装着することにより、交換レンズ１０の外周部分全体を保護し、レンズケースとしても使用可能とすることを実現した。【選択図】図１
2006065097.tif 000002
【特許請求の範囲】
【請求項１】
切り込み部が形成された花型形状のフード部を備えた交換レンズに用いられるレンズキャップであって、
略円筒形状であるフロント側円筒部と前記フロント側円筒部の一端を塞ぐフロント側底部とを有する略有底円筒形状であり、前記交換レンズの被写体側レンズと前記フード部の外周部分とを保護するフロントキャップ部材を有し、
前記フロントキャップ部材は、前記フロント側円筒部の開口側周縁部に、他部品を装着するフロント側装着部が設けられていること、
を特徴とするレンズキャップ。
【請求項２】
請求項１に記載のレンズキャップにおいて、
略円筒形状であるリア側円筒部と前記リア側円筒部の一端を塞ぐリア側底部とを有する略有底円筒形状であり、前記交換レンズの像側レンズと像側外周部分とを保護するリアキャップ部材を有し、
前記リアキャップ部材は、前記リア側円筒部の開口側周縁部に、前記フロント側装着部に装着されるリア側装着部が設けられていること、
を特徴とするレンズキャップ。
【請求項３】
請求項１又は請求項２に記載のレンズキャップにおいて、
前記フロントキャップ部材は、前記フロント側円筒部の長さが、前記フード部の先端から前記交換レンズのマウント部のカメラ取り付け面までの長さよりも短いこと、
を特徴とするレンズキャップ。
【請求項４】
請求項１から請求項３までに記載のレンズキャップにおいて、
前記フロント側底部及び前記リア側底部は、前記フロント側円筒部及び前記リア側円筒部に着脱可能であり、同一形状であること、
を特徴とするレンズキャップ。
【請求項５】
請求項４に記載のレンズキャップにおいて、
前記フロント側底部及び前記リア側底部は、他の交換レンズの被写体側に設けられたフィルタ装着ネジに装着可能な汎用キャップを使用可能であること、
を特徴とするレンズキャップ。
【発明の詳細な説明】
【技術分野】
【０００１】
本発明は、花型形状のフードを備えた交換レンズに用いられるレンズキャップに関するものである。
【背景技術】
【０００２】
従来、交換レンズの被写体側レンズや像側レンズを保護するものとしては、フロントキャップやリアキャップ等のレンズキャップが知られている。
図３は、一般的なレンズキャップを装着した交換レンズの断面図である。
一般的なレンズキャップは、交換レンズ１０の前後に装着されるフロントキャップ２００と、リアキャップ３００とがあった。
交換レンズ１０は、略円筒形状であり、その内部には、レンズＬ１〜Ｌ９が設けられている。また、交換レンズ１０は、その光軸方向の被写体側にはフード部１１が固定され、像側には不図示のカメラに取り付けられるマウント部１２が設けられ、カメラ取り付け面１２ａで不図示のカメラの被写体側面と接する。
フード部１１は、この交換レンズ１０の最大画角を示す光線Ｍを遮らないように切り込み部が形成された花型形状のフードである。
レンズＬ１〜Ｌ９は、交換レンズ１０の内部に、被写体側からレンズＬ１、レンズＬ２、レンズＬ３と順に像側へ、その中心が光軸に一致するように配列されている。レンズＬ１は、光軸方向において最も被写体側に配列され、レンズＬ９は、最も像側に配列されている。
【０００３】
フロントキャップ２００は、金属又はプラスチック等で形成され、略円筒形状であるフロント側円筒部２１０と、フロント側円筒部２１０の一端を塞ぐフロント側底部２２０と、植毛部２３０とを有する略有底円筒形状であり、交換レンズ１０の被写体側レンズＬ１とフード部１１の外周部分とを保護する部材である。
【０００４】
フロント側円筒部２１０は、その一端の周縁部の内周に雌ネジ２１０ａが設けられており、フロント側円筒部２１０の長さは、少なくともフード部１１の切り込み部が覆われる長さである。
フロント側底部２２０は、略円盤状の部材であり、一方の端面に不図示の付勢部材によって径方向に付勢された一対の爪部２２０ａが設けられ、フロント側円筒部２１０の雌ネジ２１０ａに係合することにより、フロント側円筒部２１０に着脱可能に装着される。
植毛部２３０は、フロント側円筒部２１０の内周に設けられた緩衝部材であり、例えば、フェルト等が使用されている。植毛部２３０は、フロントキャップ２００を交換レンズ１０に装着するときに、その弾性によって交換レンズ１０を保持し、また、フード部１１とフロント側円筒部２１０の内周部分とが接触し、フード部１１が傷付くことを防ぐものである。
【０００５】
リアキャップ３００は、金属又はプラスチック等で形成され、略有底円筒形状であり、円筒部分の内周に交換レンズ１０のマウント部１２に装着可能な装着部３１０を備え、交換レンズ１０の像側レンズＬ９を保護する部材である。装着部３１０は、例えば、いわゆるバヨネット構造である。
【０００６】
このような一般的なレンズキャップは、交換レンズ１０を不図示のカメラから取り外し、次に、フロントキャップ２００を交換レンズ１０のフード部１１に被せて装着し、リアキャップ３００を交換レンズ１０のマウント部１２に装着して使用する。
図３に示すように、一般的なレンズキャップでは、フロントキャップ２００は、交換レンズ１０の被写体側レンズＬ１とフード部１１の外周部分とを保護し、リアキャップ３００は、交換レンズ１０の像側レンズＬ９を保護する。
【０００７】
しかし、フロントキャップ２００とリアキャップ３００とでは、交換レンズ１０の外周部分全体を保護することはできない。
よって、これらのレンズキャップで保護された交換レンズ１０は、例えば、レンズケースに収納される。レンズケースは、レンズキャップと独立して設けられており、レンズケースとレンズキャップとは、別々に使用されるものである。
【０００８】
そのため、交換レンズ１０を収納するには、レンズキャップとレンズケースの両方を準備しなければならず、煩雑であり、交換レンズ１０を速やかに収納できないという問題があった。
また、使用者は、レンズケースとレンズキャップとを個別に携帯しなければならないため、レンズケースやレンズキャップを紛失してしまうという問題があった。
さらに、レンズキャップとレンズケースとを別々に生産するため、生産コストが高くなることも問題であった。
【０００９】
一方、例えば、レンズフードの両端部分にネジを設け、そのネジに蓋を取り付けることにより、レンズフードがレンズケースとしても使用可能となるものもあった（特許文献１参照。）。
【００１０】
しかし、花型形状のフードでは、切り込み部を有するため、ネジをフードの全周にわたって設けることができず、蓋を取り付けることはできない。そのため、花型形状のフードが設けられた交換レンズには、適用できないという問題があった。
【特許文献１】実開平７−１０７３２号公報
【発明の開示】
【発明が解決しようとする課題】
【００１１】
本発明の課題は、レンズキャップとレンズケースとを別々に使用する煩わしさがなく、交換レンズを速やかに収納することができ、安価で製造できるレンズキャップを提供することである。
【課題を解決するための手段】
【００１２】
本発明は、以下のような解決手段により、前記課題を解決する。なお、理解を容易にするために、本発明の実施例に対応する符号を付して説明するが、これに限定されるものではない。
請求項１の発明は、切り込み部が形成された花型形状のフード部（１１）を備えた交換レンズ（１０）に用いられるレンズキャップであって、略円筒形状であるフロント側円筒部（２１）と前記フロント側円筒部の一端を塞ぐフロント側底部（２２）とを有する略有底円筒形状であり、前記交換レンズの被写体側レンズ（Ｌ１）と前記フード部の外周部分とを保護するフロントキャップ部材（２０）を有し、前記フロントキャップ部材は、前記フロント側円筒部の開口側周縁部に、他部品を装着するフロント側装着部（２１ｂ）が設けられていること、を特徴とするレンズキャップである。
【００１３】
請求項２の発明は、請求項１に記載のレンズキャップにおいて、略円筒形状であるリア側円筒部（３１）と前記リア側円筒部の一端を塞ぐリア側底部（３２）とを有する略有底円筒形状であり、前記交換レンズ（１０）の像側レンズ（Ｌ９）と像側外周部分とを保護するリアキャップ部材（３０）を有し、前記リアキャップ部材は、前記リア側円筒部の開口側周縁部に、前記フロント側装着部に装着されるリア側装着部（３１ｂ）が設けられていること、を特徴とするレンズキャップである。
【００１４】
請求項３の発明は、請求項１又は請求項２に記載のレンズキャップにおいて、前記フロントキャップ部材（２０）は、前記フロント側円筒部（２１）の長さが、前記フード部（１１）の先端から前記交換レンズのマウント部（１２）のカメラ取り付け面（１２ａ）までの長さよりも短いこと、を特徴とするレンズキャップである。
【００１５】
請求項４の発明は、請求項１から請求項３までに記載のレンズキャップにおいて、前記フロント側底部（２２）及び前記リア側底部（３２）は、前記フロント側円筒部（２１）及び前記リア側円筒部（３１）に着脱可能であり、同一形状であること、を特徴とするレンズキャップである。
【００１６】
請求項５の発明は、請求項４に記載のレンズキャップにおいて、前記フロント側底部（２２）及び前記リア側底部（３２）は、他の交換レンズの被写体側に設けられたフィルタ装着ネジに装着可能な汎用キャップを使用可能であること、を特徴とするレンズキャップである。
【発明の効果】
【００１７】
本発明により、以下の効果を奏することができる。
（１）フロントキャップ部材は、フロント側円筒部の開口側周縁部に、他部品を装着するフロント側装着部が設けられているので、レンズキャップとして使用できるうえに、フロント側装着部に他部品、例えば、リアキャップ部材等を装着することにより、交換レンズを速やかに収納することができ、レンズケースとしても使用できる。
【００１８】
（２）フロントキャップ部材は、フロント側円筒部の長さが、フード部の先端から交換レンズのマウント部のカメラ取り付け面までの長さよりも短いので、交換レンズをカメラに取り付けたまま、フロントキャップ部材を交換レンズに取り付け、レンズキャップとして使用できる。
【００１９】
（３）フロント側底部及びリア側底部は、フロント側円筒部及びリア側円筒部に着脱可能であり、同一形状であるので、フロント側底部とリア側底部との部品を共用できるので、生産コストを抑えることができる。
【００２０】
（４）フロント側底部及びリア側底部は、他の交換レンズの被写体側に設けられたフィルタ装着ネジに装着可能な汎用キャップを使用可能であるので、生産コストを抑えることができる。
【発明を実施するための最良の形態】
【００２１】
本発明は、レンズキャップとレンズケースとを別々に使用する煩わしさがなく、交換レンズを速やかに収納することができ、安価で製造できるレンズキャップを提供するという目的を、略有底円筒形状であるフロントキャップ部材及びリア側キャップ部材の開口側周縁部に、フロント側装着部及びリア側装着部を設け、フロント側装着部にリア側装着部を装着可能にすることにより実現した。
【実施例】
【００２２】
図１は、本実施例のレンズキャップと交換レンズの断面図である。
図２は、本実施例のレンズキャップを装着した交換レンズの断面図である。
本実施例のレンズキャップは、切り込み部が形成された花型形状のフード部１１を備えた交換レンズ１０に用いられるレンズキャップである。
【００２３】
フロントキャップ２０は、金属又はプラスチック等で形成され、略円筒形状であるフロント側円筒部２１と、フロント側円筒部２１の一端を塞ぐフロント側底部２２とを有する略有底円筒形状であり、交換レンズ１０の最も被写体側に設けられたレンズＬ１とフード部１１の外周部分とを保護する部材である。
【００２４】
フロント側円筒部２１は、フロント側雌ネジ２１ａと、フロント側装着部２１ｂと、植毛部２３とを有する略円筒形状の部材である。フロント側円筒部２１の長さは、交換レンズ１０のフード部１１の先端からマウント部１２のカメラ取り付け面１２ａまでの長さよりも短い。
フロント側雌ネジ２１ａは、フロント側円筒部２１の一端の周縁部の内周に設けられた雌ネジであり、後述するフロント側底部２２を装着可能である。
フロント側装着部２１ｂは、フロント側円筒部２１のフロント側底部２２が装着される一端と対向する開口側周縁部の、例えば、内周に設けられた雌ネジであり、後述するリアキャップ３０を装着可能である。
【００２５】
フロント側底部２２は、略円盤状の部材であり、例えば、一方の端面に不図示の付勢部材により径方向に付勢された一対の爪部２２ａが設けられ、その爪部２２ａが前述のフロント側雌ネジ２１ａに係合することにより、フロント側円筒部２１に着脱可能に装着されるスプリング式キャップである。また、フロント側底部２２は、他の交換レンズの被写体側に設けられたフィルタ装着ネジに装着可能な汎用キャップである。
【００２６】
植毛部２３は、フロント側円筒部２１のフロント側底部２２側の内周に設けられた緩衝部材であり、例えば、フェルトが使用される。植毛部２３は、フロントキャップ２０を交換レンズ１０に装着するときに、その弾性によって交換レンズ１０を保持し、また、フード部１１とフロント側円筒部２１の内周部分とが接触し、フード部１１が傷付くことを防ぐものである。
【００２７】
リアキャップ３０は、金属又はプラスチック等で形成され、略円筒形状であるリア側円筒部３１と、リア側円筒部３１の一端を塞ぐリア側底部３２とを有する略有底円筒形状であり、交換レンズ１０の最も像側に設けられたレンズＬ９と交換レンズ１０の像側外周部分とを保護する部材である。
【００２８】
リア側円筒部３１は、リア側雌ネジ３１ａと、リア側装着部３１ｂとを有する略円筒形状の部材である。
リア側雌ネジ３１ａは、リア側円筒部３１の一端の周縁部の内周に設けられた雌ネジであり、後述するリア側底部３２を装着可能である。
リア側装着部３１ｂは、リア側円筒部３１のリア側底部３２が装着される一端と対向する開口側周縁部の、例えば、外周に設けられた雄ネジであり、前述したフロント側装着部２１ｂと螺合する。これにより、リアキャップ３０は、フロントキャップ２０に装着可能である。
【００２９】
リア側底部３２は、フロント側底部２２と同一形状のスプリング式キャップであり、他の交換レンズの被写体側に設けられたフィルタ装着ネジに装着可能な汎用キャップである。リア側底部３２は、爪部２２と同様に設けられた一対の爪部３２ａが、前述のリア側雌ネジ３１ａに係合することにより、リア側円筒部３１に着脱可能に装着される。
【００３０】
本実施例のレンズキャップの装着方法について説明する。
図２は、本実施例のレンズキャップを装着した交換レンズの断面図である。
不図示のカメラから交換レンズ１０を取り外し、フロントキャップ２０を交換レンズ１０のフード部１１に被せて装着し、リアキャップ３０を交換レンズ１０のマウント部１２に装着する。次に、フロント側装着部２１ｂと、リア側装着部３１ｂとを螺合させることにより、リアキャップ３０は、フロントキャップ２０に装着される。
【００３１】
図２に示すように、リアキャップ３０がフロントキャップ２０に装着されることにより、交換レンズ１０は、その外周部分全体が、フロントキャップ２０とリアキャップ３０とにより保護される。これにより、本実施例のレンズキャップは、交換レンズ１０を保護するレンズケースとして使用でき、レンズキャップとレンズケースとを別々に使用することなく、速やかに交換レンズ１０を収納することができる。
【００３２】
また、フロント側円筒部２１の長さは、フード部１１の先端から交換レンズ１０のマウント部１２のカメラ取り付け面１２ａまでの長さよりも短いので、交換レンズ１０がカメラに取り付けられた状態で、フロントキャップ２０を交換レンズ１０に装着することができる。
【００３３】
さらに、フロント側底部２２とリア側底部３２とは、同一形状であり、他の交換レンズの被写体側に設けられたフィルタ装着ネジに装着可能な汎用キャップであるので、生産コストを低く抑えることができる。
【００３４】
（変形例）
以上説明した実施例に限定されることなく、種々の変形や変更が可能であって、それらも本発明の均等の範囲内である。
（１）本実施例において、フロント側装着部２１ｂを雌ネジとし、リア側装着部３１ｂを雄ネジとして、これらを螺合させることにより、フロントキャップ２０にリアキャップ３０を装着する例を示したが、これに限らず、例えば、バヨネット構造や、クリック機構や、マグネットを用いて、フロントキャップ２０にリアキャップ３０を装着させてもよい。
【００３５】
（２）本実施例において、フロント側底部２２及びリア側底部３２は、フロント側円筒部２１及びリア側円筒部３１に着脱可能である例を示したが、フロント側円筒部２１及びリア側円筒部３１と一体成型でもよい。
【図面の簡単な説明】
【００３６】
【図１】本実施例のレンズキャップと交換レンズの断面図である。
【図２】本実施例のレンズキャップを装着した交換レンズの断面図である。
【図３】一般的なレンズキャップを装着した交換レンズの断面図である。
【符号の説明】
【００３７】
１０    交換レンズ
１１    フード部
１２    マウント部
１２ａ    カメラ取り付け面
２０    フロントキャップ
２１    フロント側円筒部
２１ａ    フロント側雌ネジ
２１ｂ    フロント側装着部
２２    フロント側底部
２２ａ    爪部
２３    植毛部
３０    リアキャップ
３１    リア側円筒部
３１ａ    リア側雌ネジ
３１ｂ    リア側装着部
３２    リア側底部
３２ａ    爪部
２００    フロントキャップ
２１０    フロント側円筒部
２２０    フロント側底部
３００    リアキャップ
３１０    装着部
Ｌ１〜Ｌ９    レンズ
Ｍ    最大画角を示す光線
【図１】
2006065097.tif 000003
【図２】
2006065097.tif 000004
【図３】
2006065097.tif 000005